(57)【特許請求の範囲】
【請求項１】
第１のガラス基板と第２のガラス基板を重ねた画像表示パネルと、前記画像表示パネルの表示面側から前記画像表示パネルに被せることで前記画像表示パネルを保持するベゼル部材とを有する画像表示装置であって、
前記画像表示パネルは、前記画像表示パネルの１辺にて前記第１のガラス基板の端面よりも前記第２のガラス基板の端面が突出し、
前記ベゼル部材は、前記第１のガラス基板の端面よりも前記第２のガラス基板の端面が突出する１辺に対応する部分にて前記第２のガラス基板と重ならないように形成されていることを特徴とする画像表示装置。
【請求項２】
前記ベゼル部材に重ねられる補強部材を有し、
前記補強部材は、前記第１のガラス基板の端面よりも前記第２のガラス基板の端面が突出する１辺に対応する部分が前記第１のガラス基板および前記第２のガラス基板と重なるように形成されていることを特徴とする請求項１に記載の画像表示装置。
【請求項３】
前記補強部材は、前記第１のガラス基板の端面よりも前記第２のガラス基板の端面が突出する１辺に対応する部分と前記第１のガラス基板との間に間隙が形成されるように、前記ベゼル部材に重ねられることを特徴とする請求項２に記載の画像表示装置。
【発明の詳細な説明】
【技術分野】
【０００１】
本発明は、デジタルカメラ等の画像表示装置に関する。
【背景技術】
【０００２】
近年の電子機器は小型薄型化の要請に伴い、画像表示装置も薄型化が要求されている。画像表示装置は、ＬＣＤ（Ｌｉｑｕｉｄ Ｃｒｙｓｔａｌ Ｄｉｓｐｌａｙ）パネル等の画像表示パネルと、画像表示パネルを保持するベゼルフレームと、バックライトユニットと、を有する。ＬＣＤパネルは、一対のガラス基板内に液晶を保持している。画像表示パネルの薄型化に伴ってガラス基板も薄型化され、画像表示装置は外力に対して脆弱になってきている。
【０００３】
そこで、デジタルカメラなどの画像表示装置において耐力が弱い部分を補強部材により補強することが従来から提案されている。例えば、特許文献１は、ガラス基板の一辺（短辺）を保持する補強部材をＬＣＤの外側に設けている。また、特許文献２は、ベゼルフレームの一辺（長辺）に沿って延びる細長い補強部材を取り付けている。
【特許文献１】特開平８−８７００４号公報
【特許文献２】特開平１０−１３３１７９号公報
【発明の開示】
【発明が解決しようとする課題】
【０００４】
しかしながら、ＬＣＤパネルのガラス基板、特に、一対のガラス基板の一方はフレキシブル基板が接続されるために他のガラス基板から外部に突出する突出部が形成されており、かかる突出部は特に脆弱である。この突出部については特許文献１及び２のように、補強部材を単純に追加する程度では十分な破損防止ができなかった。その一方で、補強部材を大幅に大型にすると画像表示装置が大型になり、小型薄型化の要請に反することとなる。
【０００５】
このような課題を鑑みて、本発明の目的は、小型化と耐力性に優れる画像表示装置を提供することにある。
【課題を解決するための手段】
【０００６】
本発明の一側面としての画像表示装置は、第１のガラス基板と第２のガラス基板を重ねた画像表示パネルと、前記画像表示パネルの表示面側から前記画像表示パネルに被せることで前記画像表示パネルを保持するベゼル部材とを有する画像表示装置であって、前記画像表示パネルは、前記画像表示パネルの１辺にて前記第１のガラス基板の端面よりも前記第２のガラス基板の端面が突出し、前記ベゼル部材は、前記第１のガラス基板の端面よりも前記第２のガラス基板の端面が突出する１辺に対応する部分にて前記第２のガラス基板と重ならないように形成されていることを特徴とする。
【０００７】
本発明の更なる目的又はその他の特徴は、以下、添付図面を参照して説明される好ましい実施例によって明らかにされるであろう。
【発明の効果】
【０００８】
本発明によれば、小型化と耐力性に優れる画像表示装置を提供することができる。
【発明を実施するための最良の形態】
【０００９】
以下、添付図面を参照して、本実施例のデジタルカメラ（画像表示装置）１００について説明する。本実施例は、画像表示装置の一例としてデジタルカメラとして構成されるが、本発明の画像表示装置は、ノート型パーソナルコンピュータ（ＰＣ）、パーソナルデジタルアシスタント（ＰＤＡ）などデジタルカメラに限定されない。図１は、デジタルカメラ１００の背面図である。図１に示すように、デジタルカメラ１００は、画像を表示する画像表示部１６をリアカバー１に有する。
【００１０】
図２は、デジタルカメラ１００の要部分解斜視図である。図３は、ＬＣＤパネル４周辺の要部斜視図である。図２を参照するに、デジタルカメラ１００は、リアカバー１と、シャーシ１１との間に、補強板２（補強部材）、ベゼルフレーム（ベゼル部材）３、ＬＣＤパネル４、バックライトユニット１５を有する。
【００１１】
ＬＣＤパネル４は、画像表示パネルとして機能し、Ｚ方向に垂直な表示面４ｇを有する。ＬＣＤパネル４の背後（Ｚ方向下側）にはＬＣＤパネル４を照明するバックライトユニット１５が配置され、これにより、ＬＣＤパネル４上に適切な輝度を持った画像が表示される。製造においては、シャーシ１１上にバックライトユニット１５、ＬＣＤパネル４が順次搭載され、その上から補強板２が重ねて取り付いたベゼルフレーム３が取り付けられてＬＣＤパネル４を保持する。
【００１２】
バックライトユニット１５においては、金属製のフレーム９の上に、反射シート８、樹脂製のスペーサ５が取り付けられ、更にスペーサ５の内側にバックライトフレキシブル配線板１０が取り付いた導光板７、光学シート類６が配置される。光学シート類６は、２枚の光学シート６ａ、６ｂと拡散シート６ｃとを有する。スペーサ５に当接するようにＬＣＤパネル４を配置する。その結果、バックライトフレキシブル配線板１０に取り付いた図２には省略されたＬＥＤ１０ａから光が導光板７に入射され、光学シート類６を介してＬＣＤパネル４を背後から照射する。
【００１３】
ＬＣＤパネル４の上から金属製のベゼルフレーム３を被せる。ベゼルフレーム３は、画像表示パネル４を保持し、中空矩形形状を有する。ベゼルフレーム３には、金属製で断面Ｌ字形状の補強板２が溶接により固定されている。ベゼルフレーム３に設けた４箇所の穴形状３ａとフレーム９に設けた４箇所の凸形状９ａとが係合してＬＣＤパネル４がベゼルフレーム３とバックライトユニット１５との間に保持される。ベゼルフレーム３の中央には矩形形状の開口３ｃが形成される。開口３ｃは、辺３ｃ１乃至３ｃ４によって規定される。なお、補強板２とベゼルフレーム３の取り付けは溶接に限定されず、接着やビス締め等でもよい。
【００１４】
バックライトユニット１５は金属製のシャーシ１１に固定される。固定方法は、スペーサ５に２箇所のボス５ａが設けられており、シャーシ１１にも対応する穴１１ａが設けられ、それらの係合により位置決め及び係合する。図２はこれらの２ヶ所のうち１箇所のみを示している。フレーム９にはボス５ａに対応する位置に逃げ穴が設けられている。更に、ベゼルフレーム３に設けられた２箇所の凸形状３ｂが、シャーシ１１に設けられた２箇所の切り欠き形状１１ｂに係合してＬＣＤパネル４を保持したバックライトユニット１５がシャーシ１１に固定される。図２は、２箇所の切り欠き形状１１ｂの１箇所を省略している。
【００１５】
ベゼルフレーム３の上からリアカバー１が取り付けられる。このリアカバー１には、ＬＣＤパネル４を保護する目的で透明部材から成る保護窓１２が取り付けられている。本実施例では保護窓１２を構成しているが、保護窓１２を省き、リアカバー１に開口のみがある構成でもよい。
【００１６】
図４はＬＣＤパネル４の外観斜視図である。ＬＣＤパネル４は、矩形形状を有し、一対のガラス基板４ａ（第１のガラス基板）及び４ｂ（第２のガラス基板）が張り合わされ、その間に液晶が封入されている。ガラス基板４ａ及び４ｂは、それぞれ矩形形状を有し、４つの辺４ａ１乃至４ａ４、４ｂ１乃至４ｂ４を有する。一対のガラス基板４ａ及び４ｂの一方であるガラス基板４ａには偏光板４ｃが貼り付けられ、一対のガラス基板４ａ及び４ｂの他方であるガラス基板４ｂには別の偏光板（図示しない）が貼り付けられている。偏光板は、バックライトユニット１５からの入射光のうち特定の偏光成分のみを透過する。
【００１７】
ガラス基板４ｂにはＬＣＤパネル用フレキシブル配線板４ｅがＡＣＦ（異方性導電膜）等で辺４ｂ１近傍に接続されている。フレキシブル配線板４ｅが取り付けられている辺４ｂ１の近傍では、ガラス基板４ｂがガラス基板４ａよりも外側に（即ち、対向しているベゼルフレーム３の辺に向かって）突出している部分４ｆがある。ＬＣＤパネル４の３辺の端面では、ガラス基板４ａ、４ｂのそれぞれの端面が面一になるように重なっている。そして、フレキシブル配線板４ｅが取り付けられている辺では、ガラス基板４ｂの端面がガラス基板４ａの端面よりも外側に突出している。近年のＬＣＤパネル薄型化により、ガラス基板４ａ、４ｂの厚さは共に０．３ｍｍ程度まで薄型化されており、ガラス基板４ｂが突出する部分４ｆ（段差部）において脆弱になっている。本実施例は、特に、この突出する部分４ｆを効果的に補強又は保護している。本実施例では、ガラス基板４ｂが突出する部分４ｆが、図１における画像表示部１６の点線Ｍで示す右辺側に配置される。
【００１８】
図５は、図３において補強板２を不図示にした正面図であり、図１及び図４と同じ方向から見た図である。図６は、図１に示す部分ＳＳ断面図であり、画像表示部１６の右辺側を表している。保護窓１２はリアカバー１と両面テープ１３で接着されている。更に、ロの字形状のクッション材１４が画像の表示領域に合わせて保護窓１２に貼り付けられており、画像表示領域へのゴミ等異物の進入を防いでいる。
【００１９】
図６において、Ａ、Ｂ、Ｃ、Ｄはそれぞれベゼルフレーム３、ガラス基板４ｂ、補強板２、ガラス基板４ａの端面を表している。前述の通り、ベゼルフレーム３の開口３ｃを広げ、ベゼルフレーム３の端面Ａはガラス基板４ｂの端面Ｂよりも外周方向Ｘ１に位置している。
【００２０】
従来はベゼルフレーム３がガラス基板４ｂと重なる位置にあった。すなわち、端面Ａが端面Ｂよりも画像表示部の中心方向Ｘ２に位置していた。このため、デジタルカメラ１００の背面に外力Ｐを与えると、外力Ｐによってたわんだベゼルフレーム３がガラス基板４ｂを押してしまい、ガラス基板４ｂの突出する部分４ｆでは満足する強度が得られなかった。
【００２１】
これに対して、本実施例では、図６に示すように、ガラス基板４ｂが突出している部分で、ベゼルフレーム３はガラス基板４ｂと重ならないようになっている。すなわち、図６のＺ方向上側から見た場合に、ベゼルフレーム３の端面Ａはガラス基板４ｂの端面Ｂとは重ならずに、クリアランスＬ１だけ画像表示部の外周方向Ｘ１に離間されている。したがって、デジタルカメラ１００の背面に外力Ｐを与えてベゼルフレーム３がたわんだとしても、ベゼルフレーム３の端面Ａがガラス基板４ｂを押すことがない。
【００２２】
また、図６のＺ方向上側から見た場合に、補強板２の端面Ｃは、ガラス基板４ｂの端面Ｂおよびガラス基板４ａの端面Ｄよりも画像表示部の中心方向Ｘ２に位置している。したがって、補強板２の端面Ｃは、ガラス基板４ａ、４ｂの重なっている部分である。さらに、補強板２とガラス基板４ａのＺ方向におけるクリアランスＬ２が存在することで、補強板２から直接ＬＣＤパネル４へ外力Ｐが伝わることも緩和することができる。外力Ｐが与えられて、補強板２がクリアランスＬ２を超えてたわんだ場合には、補強板２はガラス基板４ａ、４ｂの重なっている部分に接触する。しかし、ガラス基板４ａ、４ｂの重なっている部分は、ガラス基板４ｂの突出する部分４ｆよりも強度的に強くなっている。なお、ＬＣＤパネル４がベゼルフレーム３に保持された状態において、ＬＣＤパネル４の３辺である、ガラス基板４ａの辺４ａ２乃至４ａ４とガラス基板４ｂの辺４ｂ２乃至４ｂ４は、ベゼルフレーム３の対応する３辺によって保持される。本実施例では、ガラス基板４ａの辺４ａ２乃至４ａ４とガラス基板４ｂの辺４ｂ２乃至４ｂ４の全長に亘ってＬＣＤパネル４がベゼルフレーム３の枠部の下にある。したがって、ベゼルフレーム３がＬＣＤパネル４の３辺（４ａ２乃至４ａ４、４ｂ２乃至４ｂ４）を保持しているため、ベゼルフレーム３の１辺でＬＣＤパネル４を避けて保持していなくてもＬＣＤパネル４の固定に支障はない。
【００２３】
補強板（補強部材）２は断面がＬ字形状であって、ベゼルフレーム３に重ねて取り付けられている。補強板２は、Ｙ方向に延び、ベゼルフレーム３の開口３ｃの辺３ｃ１を覆っている。なお、補強板２が辺３ｃ１の全長に亘って辺３ｃ１を覆うことは必須ではない。補強板２における端面Ｃとは反対側に位置する端面２ａはシャーシ１１に当接している。
【００２４】
本実施例は、できるだけ方向Ｘ２の外力Ｐを補強板２で受け止めたいという観点から端面Ｃを端面Ｄよりも方向Ｘ２に配置しているが、補強板２の端面Ｃをガラス基板４ａの端面Ｄよりも外周方向Ｘ１に配置してもよい。この場合は、補強板２の端面Ｃはガラス基板４ａの端面Ｄとガラス基板４ｂの端面Ｂとの間に位置する。その際、補強板２とＬＣＤパネル４とのクリアランスＬ３はクリアランスＬ２よりも大きくなるため、補強板２がたわんでＬＣＤパネル４に接触する可能性をより軽減できる効果がある。
【００２５】
また、本実施例においては、位置決めの観点から補強板２の端面２ａをシャーシ１１に当接させ、ベゼルフレーム３の端面３ｄはシャーシ１１とクリアランスを持たせている。しかし、コスト上昇を抑えるために補強板２を用いず、前述したベゼルフレーム３を開口させるだけの構成をとる場合は、ベゼルフレーム３の端面３ｄをシャーシ１１に当接してもよい。また、補強板２を用いる構成でも、補強の観点から補強板２、ベゼルフレーム３共にシャーシ１１に接触させてもよい。
【００２６】
本実施例は、ＬＣＤパネル４のガラス基板４ｂが突出した部分４ｆを特に保護する構成について説明してきた。しかし、ＬＣＤパネル４やその他の画像表示パネル、例えば有機ＥＬ等を用いる場合で、その他の要因による強度不足箇所が存在した場合でも、前述した構成をとることで同じような効果が得られることは言うまでもない。
【００２７】
以上、本発明の好ましい実施例について説明したが、本発明はこれらの実施例に限定されないことはいうまでもなく、その要旨の範囲内で種々の変形及び変更が可能である。
【図面の簡単な説明】
【００２８】
【図１】本発明の一実施例のデジタルカメラ（画像表示装置）の背面図である。
【図２】図１に示すデジタルカメラの要部分解斜視図である。
【図３】図２に示すＬＣＤパネル付近の外観斜視図である。
【図４】図２に示すＬＣＤパネルの外観斜視図である。
【図５】図３に示す構造から補強板を除去した構造の正面図である。
【図６】図１の部分ＳＳ断面図である。
【符号の説明】
【００２９】
３                        ベゼルフレーム
３ｃ                      開口
３ｃ１  辺
４                        ＬＣＤパネル（画像表示パネル）
４ａ、４ｂ                ガラス基板
４ａ１、４ｂ１              辺
４ｆ                      部分
１１                      シャーシ
１５                      バックライトユニット
Ａ−Ｄ                    端面
Ｓ                        空隙
１００                    画像表示装置
【図１】
0005288738.tif 000002
【図２】
0005288738.tif 000003
【図３】
0005288738.tif 000004
【図４】
0005288738.tif 000005
【図５】
0005288738.tif 000006
【図６】
0005288738.tif 000007